(57)【要約】【課題】照明時及び非照明時において同一指標を視認可能な時計文字板を提供する。【解決手段】時針１４等の示す時刻を読み取るための時間目盛１６を有し、背後から光が照射される文字板１１は、時間目盛１６を配置可能な広さを有する部材であって、時間目盛１６の配置位置を含む領域にハーフミラー部３１ｆが形成された目盛板３１と、目盛板３１の時間目盛１６の配置位置を含む領域に被せられる非透光性のリング部材３３と、を備え、時間目盛１６は、被覆部材の指標の配置位置に孔部３３ｄが設けられて孔部３３ｄからハーフミラー部３１ｆが露出することにより形成されている。【選択図】図１
2006275703.tif 000002
【特許請求の範囲】
【請求項１】
指針の示す時刻を読み取るための指標を有し、背後から光が照射される時計文字板であって、
前記指標を配置可能な広さを有する部材であって、前記指標の配置位置を含む領域にハーフミラー部が形成された背面側部材と、
前記背面側部材の前記指標の配置位置を含む領域に被せられる非透光性の被覆部材と、
を備え、
前記指標の少なくとも一部は、前記被覆部材の前記指標の配置位置に孔部が設けられて当該孔部から前記ハーフミラー部が露出することにより形成されている
時計文字板。
【請求項２】
前記ハーフミラー部には、前記孔部に嵌入されて前記指標を構成する凸部が設けられている
請求項１に記載の時計文字板。
【請求項３】
前記背面側部材と前記被覆部材との間に配置され、前記背面側部材及び前記被覆部材とは色彩又は模様の異なる中央パネルを更に備え、
前記背面側部材の凸部は、前記指針の回転方向に沿って複数設けられて複数の指標を構成し、
前記被覆部材は、前記複数の凸部に囲まれる開口部を有し、
前記中央パネルは、前記複数の凸部に囲まれて位置決めされ、前記開口部から露出する
請求項２に記載の時計文字板。
【請求項４】
前記被覆部材は、有色透明部材に非透光性の塗料が塗装されて形成され、
前記指標の少なくとも一部は、前記塗装された塗料をレーザー加工により除去して形成されている
請求項１〜３のいずれか１項に記載の時計文字板。
【請求項５】
前記被覆部材を構成する前記有色透明部材は耐熱樹脂である
請求項４に記載の時計文字板。
【請求項６】
指針と、
前記指針の示す時刻を読み取るための指標を有する時計文字板と、
前記時計文字板の背後から前記時計文字板に光を照射する光源と、
を備え、
前記時計文字板は、
前記指標を配置可能な広さを有する部材であって、前記指標の配置位置を含む領域にハーフミラー部が形成された背面側部材と、
前記背面側部材の前記指標の配置位置を含む領域に被せられる非透光性の被覆部材と、
を備え、
前記指標の少なくとも一部は、前記被覆部材の前記指標の配置位置に孔部が設けられて当該孔部から前記ハーフミラー部が露出することにより形成されている
時計装置。
【請求項７】
前記指標及び前記光源の色彩は、前記光源の点灯時と前記光源の非点灯時とで前記指標の色彩が変化するように設定されている
請求項６に記載の時計装置。
【請求項８】
透光性を有する指標を備え、背後から光が照射される時計文字板の製造方法であって、透明部材に非透光性の塗料を塗装し、当該塗装された塗料をレーザー加工により除去して前記指標を形成する時計文字板の製造方法。
【発明の詳細な説明】
【技術分野】
【０００１】
本発明は、時計文字板、時計装置及び時計文字板の製造方法に関する。
【背景技術】
【０００２】
文字板の背後から光を照射することにより、夜間でも文字板を視認可能とした時計装置が知られている。特許文献１では、ハーフミラーからなる文字板の前面側に昼間用の指標を設け、当該文字板の背面側に、前面側の指標よりも内周側に位置する夜間用の指標を設けることにより、夜間でも文字板を視認可能とするとともに、昼間と夜間とで視認される指標を変化させてデザイン上の趣向を向上させている。
【特許文献１】特開平５−３１２９７０号公報
【発明の開示】
【発明が解決しようとする課題】
【０００３】
しかし、特許文献１の技術では、照明時用の指標と非照明時用の指標とを設けなければならず、種々の不都合を生じる。例えば、２種類の指標を設けることは製造コストの増大を招く。文字板が小型である場合に、内周側の指標は小さくならざるを得ず、視認性が低下する。
【０００４】
本発明は、照明時及び非照明時において同一指標を視認可能な時計文字板、時計装置及び時計文字板の製造方法を提供することにある。
【課題を解決するための手段】
【０００５】
本発明の時計文字板は、指針の示す時刻を読み取るための指標を有し、背後から光が照射される時計文字板であって、前記指標を配置可能な広さを有する部材であって、前記指標の配置位置を含む領域にハーフミラー部が形成された背面側部材と、前記背面側部材の前記指標の配置位置を含む領域に被せられる非透光性の被覆部材と、を備え、前記指標の少なくとも一部は、前記被覆部材の前記指標の配置位置に孔部が設けられて当該孔部から前記ハーフミラー部が露出することにより形成されている。
【０００６】
好適には、前記ハーフミラー部には、前記孔部に嵌入されて前記指標を構成する凸部が設けられている。
【０００７】
好適には、前記背面側部材と前記被覆部材との間に配置され、前記背面側部材及び前記被覆部材とは色彩又は模様の異なる中央パネルを更に備え、前記背面側部材の凸部は、前記指針の回転方向に沿って複数設けられて複数の指標を構成し、前記被覆部材は、前記複数の凸部に囲まれる開口部を有し、前記中央パネルは、前記複数の凸部に囲まれて位置決めされ、前記開口部から露出する。
【０００８】
好適には、前記被覆部材は、有色透明部材に非透光性の塗料が塗装されて形成され、前記指標の少なくとも一部は、前記塗装された塗料をレーザー加工により除去して形成されている。
【０００９】
好適には、前記被覆部材を構成する前記有色透明部材は耐熱樹脂である。
【００１０】
本発明の時計装置は、前記指針の示す時刻を読み取るための指標を有する時計文字板と、前記時計文字板の背後から前記時計文字板に光を照射する光源と、を備え、前記時計文字板は、前記指標を配置可能な広さを有する部材であって、前記指標の配置位置を含む領域にハーフミラー部が形成された背面側部材と、前記背面側部材の前記指標の配置位置を含む領域に被せられる非透光性の被覆部材と、を備え、前記指標の少なくとも一部は、前記被覆部材の前記指標の配置位置に孔部が設けられて当該孔部から前記ハーフミラー部が露出することにより形成されている。
【００１１】
好適には、前記指標及び前記光源の色彩は、前記光源の点灯時と前記光源の非点灯時とで前記指標の色彩が変化するように設定されている。
【００１２】
本発明の第５の観点の時計文字板の製造方法は、透光性を有する指標を備え、背後から光が照射される時計文字板の製造方法であって、透明部材に非透光性の塗料を塗装し、当該塗装された塗料をレーザー加工により除去して前記指標を形成する。
【発明の効果】
【００１３】
本発明の時計文字板によれば、照明時及び非照明時において同一指標を視認できる。
【発明を実施するための最良の形態】
【００１４】
図１は本発明の実施形態に係る時計装置１の外観を示す正面図である。時計装置１は、例えば車載用の時計として構成され、運転席の前面のパネルに嵌め込まれて使用される。時計装置１は、文字板１１と、文字板の前面において回転する秒針１２、分針１３、時針１４（なお、これらを指針ということがある）を備えている。なお、時計装置１には、文字板１１及び指針を覆う無色透明のカバー部材も設けられるが図示は省略する。
【００１５】
文字板１１は、指針の回転軸を中心とした楕円状に形成されている。文字板１１の大きさは適宜に設定してよいが、例えば、長軸の長さは約６ｃｍ、短軸の長さは約４ｃｍである。文字板１１の外周部１１ａには、指針の示す時刻を読み取るための指標として、時間目盛１６、分目盛１７が楕円の周方向に沿って配列されている。また、文字板１１の中央部１１ｂは、外周部１１ａとは異なる模様又は色彩が施されている。
【００１６】
時間目盛１６は、３０度間隔で１２個設けられ、径方向に長い略矩形状に形成されている。なお、１２時の位置においては、矩形が２個配列されている。分目盛１７は、５度間隔で、かつ、時間目盛１６の配置位置を避けて設けられている。つまり、時間目盛１６の間に４個ずつ等間隔で配置されている。分目盛１７は径方向に長い略矩形状に形成されている。分目盛１７は時間目盛１６よりも長さも幅も小さく、すなわち時間目盛１６よりも面積が小さい。分目盛１７の大きさは、例えば長さ２〜３ｍｍ、幅は０．２〜０．５ｍｍである。
【００１７】
図２（ａ）は、図１のＩＩａ−ＩＩａ線における断面図、図２（ｂ）は、図１のＩＩｂ−ＩＩｂ線における断面図である。なお、図２（ａ）及び図２（ｂ）において、紙面上方は図１の紙面手前側である。
【００１８】
文字板１１の背後側には、光源としてのＬＥＤ２１が複数設けられている。ＬＥＤ２１は、例えば、文字板１１の外周部１１ａの背後側において、楕円の周方向に沿って等間隔で配列されている。ＬＥＤ２１は、不図示の電源及びスイッチに接続され、当該スイッチのオンオフにより点灯、非点灯が切り換えられる。
【００１９】
文字板１１は、全体として前面側（紙面上方）を凹とする凹状に形成されている。中央には各指針を回転させるための軸部材が挿通される孔部が設けられている。なお、軸部材は、例えば秒針１２を回転させる秒針軸２２、分針１３を回転させ、秒針軸２２が挿通される分針パイプ２３、時針１４を回転させ、分針パイプ２３が挿通される時針パイプ２４である。
【００２０】
時計装置１は、この他に、駆動源、発振手段、駆動源の駆動力を秒針軸２２等の軸部材に伝達するための歯車列、これらを収容する筐体等を備えるが、図示は省略する。
【００２１】
図３は文字板１１の分解斜視図である。なお、図３の紙面上方側が図１の紙面手前側である。文字板１１は、背面側（紙面下方側）から前面側（紙面上方側）へ、目盛板（背面側部材）３１、中央板（中央パネル）３２、リング部材（被覆部材）３３が積層されることにより構成されている。
【００２２】
目盛板３１は、例えば平面形状が楕円形の板状に形成されている。目盛板３１は、時間目盛１６等を配置可能な広さを有しており、外周側には時間目盛１６を構成する凸部３１ａが複数配置されている。凸部３１ａは時間目盛１６を構成するものであるから、指針の回転方向に沿って３０度間隔で１２個設けられている。凸部３１ａは、例えば前面側から見て略矩形状に形成されている。また、凸部３１ａは、例えば図２（ａ）に示すように断面が略台形状に形成され、文字板１１の外周側から内周側へ向かって低くなるように傾斜している。なお、目盛板３１には、この他、時針パイプ２４等を挿通するための孔部３１ｂ、リング部材３３の位置決め凸部（不図示）が嵌合する孔部３１ｃが設けられている。
【００２３】
目盛板３１は、無色透明な透明部３１ｅと、ハーフミラーとして機能するハーフミラー部３１ｆとを備えている。透明部３１ｅは、凸部３１ａに囲まれた楕円形の領域であり、ハーフミラー部３１ｆは透明部３１ｅの外周側の環状の領域である。ハーフミラー部３１ｆは、凸部３１ａを含んでいる。目盛板３１は、例えば、無色透明な部材にアルミニウム等の金属を蒸着などにより付着させることにより、透明部３１ｅ、ハーフミラー部３１ｆを有している。なお、無色透明な部材は、例えばポリカーボネイトやアクリル樹脂である。
【００２４】
中央板３２は、例えば平面形状が楕円形の板状に形成されている。中央板３２の大きさは、目盛板３１の透明部３１ｅと略同等の大きさである。従って、中央板３２を目盛板３１に積層すると、目盛板３１は複数の凸部３１ａに囲まれるように複数の凸部３１ａに対して嵌合する。これにより、中央板３２は、目盛板３１に対して、板面に沿った方向において位置決めされる。なお、図２（ａ）に示すように、目盛板３１の凸部３１ａは台形に形成されて板面に垂直な縁部３１ｈを有し、当該３１ｈに対して中央板３２の縁部３２ａが係合することにより確実に位置決めされる。中央板３２には、この他、時針パイプ２４等を挿通するための孔部３２ｂが設けられている。
【００２５】
中央板３２は、目盛板３１の透明部３１ｅとは異なる色彩又は模様に形成されている。例えば、無色透明な部材に対して透過印刷を施すことにより有色透明に形成されている。無色透明な部材は、例えばポリカーボネイトやアクリル樹脂である。なお、染料等を混入した材料を射出成形するなどして、形成時から有色な部材を用いてもよい。
【００２６】
リング部材３３は、環状に形成されて開口部３３ａを有している。従って、中央板３２はリング部材３３に遮られることなく前面側（紙面上方側）に露出する。また、開口部３３ａは、例えば中央板３２よりも若干小さい楕円形に開口している。従って、リング部材３３を中央板３２の前面側から被せると、図２（ａ）に示すように、中央板３２は、目盛板３１とリング部材３３の内周部３３ｂとに挟まれて、目盛板３１等に対して固定される。
【００２７】
なお、リング部材３３の外周側の形状は、例えば目盛板３１の外形と同じ大きさ、形状に形成されている。換言すれば、リング部材３３は、時間目盛１６等の配置位置を含む領域に被せられる大きさに形成されている。リング部材３３と目盛板３１とは、例えば接着剤や両面テープにより互いに固定される。
【００２８】
リング部材３３は、時間目盛１６を構成する複数の孔部３３ｄを有している。孔部３３ｄには、目盛板３１の凸部３１ａがそれぞれ嵌入される。孔部３３ｄは、凸部３１ａが嵌入されるものであるから、例えば凸部３１ａの平面形状と同様に略矩形状に形成され、凸部３１ａの配置位置と同様に３０度間隔で１２個配置されている。なお、１２時位置の凸部３１ａ及び孔部３３ｄだけは、矩形を２個配置して設けられており、これにより目盛板３１及びリング部材３３は、６時位置と１２時位置とを互いに区別して積層される。
【００２９】
リング部材３３の断面形状は、例えば、図２（ｂ）に示すように、全体として前面側（図２（ｂ）の紙面上方）に凸となるように形成され、外周側から内周側へ低くなるように傾斜する傾斜面３３ｆとなっている。傾斜面３３ｆは凸部３１ａの傾斜面と平行であり、凸部３１ａは傾斜面３３ｆより若干突出する。
【００３０】
図３に示すように、リング部材３３には、分目盛１７が形成されている。分目盛１７はレーザー加工により形成される。具体的には以下のとおりである。
【００３１】
図４は、リング部材３３の分目盛１７の形成方法を示している。図４の各図は各工程におけるリング部材３３の一部を示しており、図４（ａ）は正面図、図４（ｂ）は図４（ａ）のＩＶｂ−ＩＶｂ線における断面図、図４（ｃ）は正面図、図４（ｄ）は図４（ｃ）のＩＶｄ−ＩＶｄ線における断面図、図４（ｅ）は正面図、図４（ｆ）は図４（ｅ）のＩＶｆ−ＩＶｆ線における断面図である。
【００３２】
まず、図４（ａ）及び図４（ｂ）に示すように、リング部材３３は、基体となる有色透明部材４０が射出成形等により形成される。次に、図４（ｃ）及び図４（ｄ）に示すように、形成された有色透明部材４０の前面側の表面は、非透光性の塗料４１が塗布され、あるいは吹き付けられるなどして塗装される。そして、図４（ｅ）及び図４（ｆ）に示すように、リング部材３３にレーザー光を照射し、照射部分の塗料４１を蒸発又は燃焼させるなどして除去することにより、分目盛１７が形成される。
【００３３】
リング部材３３の基体となる有色透明部材４０は、レーザー光によって生じる熱に耐えられるように、耐熱性の材料が用いられることが望ましい。例えば、耐熱性ＡＢＳ樹脂を用いてもよい。耐熱性の樹脂を用いる場合には、熱変形温度が例えば１００度以上であることが望ましい。耐熱性ＡＢＳ樹脂としては、例えば日本合成ゴム株式会社製の超耐熱樹脂ＪＳＲ  ＸＴ０９Ｈを用いる。
【００３４】
塗料４１は適宜なものを用いてよいが、レーザー光を吸収しやすいように、カーボンブラック、黒鉛等の黒系顔料・染料を含んでいるものを用いるとよい。あるいは適宜な色の塗料に金属粉を混合して、金属粉の発熱により燃焼等が促進されるようにしてもよい。レーザーは例えばＹＡＧレーザーを用いる。
【００３５】
以上の構成を有する時計装置１では、図１に示した文字板１１の外周部１１ａ、中央部１１ｂ、時間目盛１６、分目盛１７の色彩や模様の組み合わせを多様化させるとともに、昼間と夜間とで色彩を変化させることができる。以下では、一例を示しつつ、文字板１１の見え方を説明する。
【００３６】
図５は、文字板１１の見え方の一例を示す図表である。昼間においては、文字板１１は、太陽光等の文字板前面側からの光を反射して、文字板１１を構成する各部材の色彩で見える。すなわち、時間目盛１６は、目盛板３１の凸部３１ａの反射光による色彩を反映して金属調（クロムメッキ調）の色彩に見え、例えばシルバーの金属調に見える。分目盛１７は、リング部３３の基体となる有色透明部材３３の色彩に見え、例えばシルバーに見える。文字板１１の中央部１１ｂは中央板３２の色彩に見え、例えば黒色に見える。なお、文字板１１の外周部１１ａは、リング部３３の非透光性の塗料４１の色彩に見え、例えば黒色に見える。
【００３７】
夜間においては、文字板１１は、ＬＥＤ２１からの透過光により、文字板１１を構成する各部の色彩と、ＬＥＤ２１の発光色とを足し合わせた色に見える。なお、ＬＥＤ２１を透過させる部分を無色（金属調の色彩ではシルバー）に近い色彩にしている場合には、ＬＥＤ２１の発光色がそのまま文字板１１の各部の色彩となる。例えば、ＬＥＤ２１の発光色を白色である場合、目盛板３１の凸部３１ａがシルバーであれば時間目盛１６の色彩は白色に、リング部材３３の有色透明部材４０の色彩がシルバーであれば分目盛１７の色彩は白色に、中央板１１の色彩が黒色であれば中央部１１ａはグレイに見える。なお、文字板１１の外周部１１ａは、非透光性であるから、ＬＥＤ２１からの光の影響をほとんど受けず、昼間と同様に見え、あるいは周囲が暗い場合には見えない。
【００３８】
以上の時計装置１によれば、リング部材３３の孔部３３ｄから目盛板３１のハーフミラー部３１ｆを露出させて、時間目盛１６を構成していることから、昼間は文字板１１の前面からの光を反射して金属調の色彩を見せ、夜間はＬＥＤ２１からの光を透過させてハーフミラー部３１ｆの色彩とＬＥＤ２１の発光色とを足し合わせた色彩で見せることができる。これにより、昼間及び夜間において同一指標により時間目盛を視認することができる。しかも、昼間及び夜間とで色彩を変化させ、インテリア性を向上させることができる。
【００３９】
目盛板３１のハーフミラー部３１ｆに凸部３１ａを設けてリング部材３３の孔部３３ｄに嵌入していることから、目盛板３１とリング部材３３との位置決めを指標により行うことができる。また、凸部３１ａが設けられ、目盛板３１の指標の配置位置における厚みが増すことにより、目盛板３１の基体となる透明部材が本来有している反射率が指標の配置位置において増加することから、比較的薄く金属層を形成しても凸部３１ａをハーフミラーとして機能させることができる。
【００４０】
中央板３２を複数の凸部３１ａにより位置決めするとともに、リング部材３３の開口部３３ａから露出させることにより、中央板３２の位置決めのための部材等を増加させることなく、文字板１１の中央部１１ｂに意匠上の変化を与えることができる。
【００４１】
リング部材３３を有色透明部材に非透光性の塗料４１を塗装して形成し、塗料４１の一部をレーザー光により除去して分目盛１７を形成することから、分目盛１７の微細なデザインが可能である。具体的には、０．１ｍｍ単位でデザインされる指標のエッジや隅部を適切に形成できる。
【００４２】
リング部材３３を耐熱樹脂により形成していることから、射出成形等による成形が容易であるとともに、レーザー加工により分目盛１７を形成する際の変形等が抑制される。
【００４３】
本発明は、以上の実施形態に限定されず、種々の態様で実施してよい。
【００４４】
指標は、指針の示す時刻を読み取るためのものであればよく、時間目盛、分目盛に限定されない。指針の示す時刻のいずれの単位（例えば、秒、分等）を読み取るためのものでもよいし、その配置も適宜に設定してよい。記号でもよいし、文字でもよい。また、レーザー加工により形成される指標は、矩形に限定されない。他の多角形でもよいし、円や楕円でもよい。ただし、微細な角部を含むような形状の加工に特に有効である。
【００４５】
文字板の背後から光を照射する光源は、ＬＥＤに限定されない。例えば薄膜ＥＬ素子により構成されたＥＬ板であってもよい。また、光源の配置も適宜に設定してよく、文字板の外周部の背後に設けるものに限定されない。例えば文字板の背後側全面にＬＥＤや薄膜ＥＬ素子により形成された面光源を配置してもよい。なお、点光源を配置する場合には、文字板に照射される光の輝度が一定になるように、指針の回転方向において等間隔で配置されることが望ましい。
【００４６】
本願において、透明の語は半透明も含む。例えば、背面側部材は、半透明の部材に非透光性の塗料が塗装されて形成されていてもよい。
【図面の簡単な説明】
【００４７】
【図１】本発明の一実施形態の時計装置の正面図である。
【図２】図１の時計装置の断面図である。
【図３】図１の時計装置の文字板の分解斜視図である。
【図４】図１の時計装置の分目盛の形成方法を示す図である。
【図５】図１の時計装置の文字板の見え方の一例を示す図である。
【符号の説明】
【００４８】
１２、１３、１４…指針、１６…指標、１１…時計文字板、３１ｆ…ハーフミラー部、３１…背面側部材、３３…被覆部材、３３ｄ…孔部。
【図１】
2006275703.tif 000003
【図２】
2006275703.tif 000004
【図３】
2006275703.tif 000005
【図４】
2006275703.tif 000006
【図５】
2006275703.tif 000007